(57)【要約】【課題】  プッシュボタン等を保持する取付部材を螺合手段によって締め付けるだけで簡単に器械フレームに取り付けることができ、且つ取付部材を締め付けた後は緩み止めを防止して長期にわたって適正位置を確保することができると共に、取付部材の取付位置の微調整も容易に行うことのできるリミットスイッチ等の小物部品取付構造を提供する。【解決手段】  ネジ穴１ａを備えた取付基板１と、前記ネジ穴１ａに螺合貫通するネジ軸部２ａを備えた取付部材２とを含み、該取付部材２のネジ軸部２ａの上部には回動操作部となる大径の頭部２ｂが設けられ、前記取付基板１にネジ軸部２ａのネジ山斜面を弾圧する板バネ３が取り付けられている構造とし、取付部材２の頭部２ｂの下面と取付基板１の上面との間で器械フレーム等の被締付物Ａを締め付けることにより簡単にフレームＡに取り付けることができるようにした。【選択図】図１
2006038147.tif 000002
【特許請求の範囲】
【請求項１】
ネジ穴(1a)を備えた取付基板(1)と、前記ネジ穴(1a)に螺合貫通するネジ軸部(2a)を備えた取付部材(2)とを含み、該取付部材(2)のネジ軸部(2a)の上部には回動操作部となる大径の頭部(2b)が設けられ、前記取付基板(1)にネジ軸部(2a)のネジ山斜面を弾圧する板バネ(3)が取り付けられている小物部品取付構造。
【請求項２】
ネジ穴(1a)を備えた取付基板(1)と、前記ネジ穴(1a)に螺合貫通するネジ軸部(2a)を備えた取付部材(2)とを含み、該取付部材(2)のネジ軸部(2a)の上部には回動操作部となる大径の頭部(2b)が設けられ、前記取付基板(1)にネジ軸部(2a)のネジ山斜面を弾圧する板バネ(3)が取り付けられており、更に前記取付部材(2)は頭部(2b)の上面に露出するブッシュボタン(2c)と、ネジ軸部(2a)の下方に突出して前記プッシュボタン(2c)と連動する押し棒(2d)とを備え、前記取付基板(1)はリミットスイッチ本体(4)に固定され且つ前記押し棒(2d)の下動によってリミットスイッチ本体(4)のスイッチ(5)をON、OFF動作する操作プレート(6)を備えており、前記取付部材(2)の頭部(2b)の下面と取付基板(1)の上面との間で被締付物(A)を締め付けるように形成されている小物部品取付構造。
【発明の詳細な説明】
【技術分野】
【０００１】
本発明は、機器のフレームや操作盤等に取り付けられる小物部品の取付構造に関し、殊にON、OFF動作を行うためのプッシュボタンを備えたリミットスイッチをフレームに取り付けるための取付構造に関する。
【背景技術】
【０００２】
一般に、接点をON、OFF動作するプッシュボタンを備えたリミットスイッチを取り付ける場合、スイッチの接点間隔を微調整して適正位置に保持する必要がある。そのために、例えば特許文献１に示すように、ネジ機構による上下移動で動作位置を微調整したあと、シリコンゴム等の充填剤で空洞を封入して固定する等の手段がとられている。このような手段では充填剤を充填するための構造や組立工程が複雑であるとともに、充填剤を空洞に封入したあとは微調整することができない。またリミットスイッチ自体が取付手段をもたないから複数のビスにより器械フレームに取り付けなければならず、取付作業が繁雑である。
【特許文献１】特開２００４-１４４５０号公報
【発明の開示】
【発明が解決しようとする課題】
【０００３】
そこで本発明は、プッシュボタン等を保持する取付部材を螺合手段によって締め付けるだけで簡単に器械フレームに取り付けることができ、且つ取付部材を締め付けた後は緩み止めを防止して長期にわたって適正位置を確保することができると共に、取付部材の取付位置の微調整も容易に行うことのできるリミットスイッチ等の小物部品取付構造を提供することを主たる目的とするものである。
【課題を解決するための手段】
【０００４】
上記目的を達成する為に本発明では次のような技術的手段を講じた。即ち、本発明に係る小物部品取付構造にあっては、ネジ穴を備えた取付基板と、前記ネジ穴に螺合貫通するネジ軸部を備えた取付部材とを含み、該取付部材のネジ軸部の上部には回動操作部となる大径の頭部が設けられ、前記取付基板にネジ軸部のネジ山斜面を弾圧する板バネが取り付けられている構造とした。従って、取付部材の頭部の下面と取付基板の上面との間で器械フレーム等の被締付物を締め付けることにより簡単にフレームに取り付けることができる。また取り付けた後は板バネの弾圧力によりネジ軸部の自然回動が阻止されて取付部材が緩むことを未然に防止することができる。また頭部の下面に調整分を加味した厚みのワッシャを予め介在するようにしておけばこのワッシャの厚みを増減することにより取付部材２の最終締付け位置、即ち取付位置を微調整することができる。
【０００５】
また本発明では、上記構成に加えて、前記取付部材は頭部の上面に露出するブッシュボタンと、ネジ軸部の下方に突出して前記プッシュボタンと連動する押し棒とを備え、前記取付基板はリミットスイッチ本体に固定され且つ前記押し棒の下動によってリミットスイッチ本体のスイッチをON、OFF動作する操作プレートを備えており、前記取付部材の頭部の下面と取付基板の上面との間で被締付物を締め付けるように形成されている構造を特徴とする。従って取付部材の頭部を締め付けるだけで簡単にリミットスイッチ本体をプッシュボタンと共にフレームに取り付けることができるとともに、板バネの弾圧力によりネジ軸部の自然回動が阻止されて取付部材の緩みの発生を未然に防止することができる。また頭部の下面に調整分を加味した厚みのワッシャを予め介在するようにしておけばこのワッシャの厚みを増減することにより、押し棒の作動位置、即ちスイッチを作動する操作プレートとの間隔を適正位置に微調整することができる。
【０００６】
前記取付基板のねじ孔は、約１ピッチのネジが形成できるように穴周辺を螺旋状に少し盛り上げて成形するのがよい。これにより取付基板の板厚が薄くてもネジ穴としての機能を充分に発揮することができる。
【発明の効果】
【０００７】
本発明の小物部品取付構造は、取付部材の頭部の下面と取付基板の上面との間で器械フレーム等の被締付物を締め付けることによりビス等を使用することなく簡単にフレームに取り付けることができ、取り付け後は板バネがネジ軸部のネジ山を弾圧してネジ軸部の自然回動を阻止して取付部材が緩むことを未然に防止することができる。
【０００８】
また、取付部材の頭部を締め付けるだけで簡単にリミットスイッチ本体をプッシュボタンと共にフレームに取り付けることができ、取り付け後は板バネの弾圧力によりネジ軸部の自然回動が阻止されて取付部材の緩みの発生を未然に防止することができるとともに、頭部の下面に調整分を加味した厚みのワッシャを予め介在するようにしておけばこのワッシャの厚みを増減することにより、押し棒の作動位置、即ち押し棒とスイッチを作動する操作プレートとの間隔を適正位置に微調整することができる、といった効果がある。
【実施例】
【０００９】
以下において本発明に係る小物部品取付構造の具体的な内容をプッシュボタンを有するリミットスイッチに応用した実施例に基づき説明する。図１は上記リミットスイッチの斜視図であり、図２は一部を断面した正面図であり、図３は側面図であり、図４は取付基板の平面図であって、ネジ穴１ａを備えた水平な取付基板１と、前記ネジ穴１ａに螺合貫通するネジ軸部２ａを備えた取付部材２とを含み、該取付部材２のネジ軸部２ａの上部には回動操作部となる大径の頭部２ｂが設けられており、前記取付部材２の頭部２ｂの下面と取付基板１の上面との間で器械フレーム等の被締付物Ａを締め付けるように形成されている。
【００１０】
前記取付基板１のねじ孔１ａは、約１ピッチのネジが形成できるように穴周辺を螺旋状に少し盛り上げて成形されている。これにより取付基板１ａの板厚が薄くてもネジ穴としての機能を充分に発揮することができる。また、ねじ孔１ａの周方向１箇所には切欠部１ｃが形成されていて、これによりねじ軸部２ａの先端部が螺入開始できるようになっている。
【００１１】
前記取付部材２は、頭部２ｂの上面に露出するブッシュボタン２ｃと、ネジ軸部２ａの下方に突出して前記プッシュボタン２ｃと連動する押し棒２ｄとを備えている。また前記取付基板１は、下方に向かって一体的に垂直に折り曲げた取付片１ｂを備え、該取付片１ｂに取付ビス７を介してリミットスイッチ本体４が固定されている。また前記押し棒２ｄの下動によって枢軸６ａを支点として揺動してリミットスイッチ本体４のスイッチ５をON、OFF動作する操作プレート６が取付片１ｂに設けられている。
【００１２】
また、前記取付基板１の下面にネジ軸部２ａのネジ山斜面を弾圧して振動等によってネジ軸部２ａが自然回動するのを阻止するする板バネ３が取り付けられている。本実施例ではこの板バネ３はカシメ部３ａでカシメ手段によって取り付けられているが、溶接またはビス等で取り付けることも可能である。尚、図における符号８は電線コード接続用の接続端子である。また、板バネ３は、図４に示すようにねじ孔１ａの切欠部１ｃに対して半周した位置に設けられている。この位置に設けることによって、図２に示すように、板ばね３が適度にねじによって押し上げられ、ねじの緩みを防止するに適度な弾性力が付与されるようになっている。
【００１３】
使用にあたって、器械フレーム等の被締付物Ａに穿設した取り付け穴９に取付部材２のネジ軸部２ａを挿入して下方に配置した取付基板１のネジ穴１ａに螺入し、取付部材の頭部２ｂと取付基板１との間で被締付物Ａを締め付けることにより、簡単にリミットスイッチ本体４をプッシュボタン２ｃと共に器械フレームに取り付けることができる。この取付に際して、図２並びに図３に示すように、予め頭部２ｂの下面に調整分を加味した厚みのワッシャ１０を介在させておけば、このワッシャの厚みを増減することにより、押し棒２ｄの作動位置、即ち押し棒２ｄとスイッチ５を作動する操作プレート６との間隔を適正位置に微調整することができる。また微調整した後は板バネ３の弾圧力によりネジ軸部２ａの自然回動が阻止され、これにより長期にわたって押し棒２ｂを適正位置に保持することができるものである。
【産業上の利用可能性】
【００１４】
本発明の小物部品取付構造は、上述したリミットスイッチの取付構造としての用途の他に、各種スイッチや温度調整ダイヤルを備えたサーモスタット等の取付構造等の種々の用途に利用することが可能である。
【図面の簡単な説明】
【００１５】
【図１】本発明に係る小物部品取付構造の一実施例を示す斜視図
【図２】本発明に係る小物部品取付構造の一部断面正面図
【図３】本発明に係る小物部品取付構造の側面図
【図４】本発明に係る小物部品取付構造の取付基板の平面図
【符号の説明】
【００１６】
１  取付基板
１ａ  ビス穴
１ｂ  取付片
２  取付部材
２ａ  軸部材
２ｂ  頭部
２ｃ  プッシュボタン
２ｄ  押し棒
３  板バネ
４  リミットスイッチ本体
５  スイッチ
６  操作プレート
【図１】
2006038147.tif 000003
【図２】
2006038147.tif 000004
【図３】
2006038147.tif 000005
【図４】
2006038147.tif 000006